(57)【要約】【課題】簡易な構成で上下風向板の落下等を防止する。【解決手段】空気調和機の室内機は、内部を通過する冷媒と空気との間で熱交換を行う熱交換器と、空気を送る送風ファンと、空気吹出口が設けられた筐体フレーム２０と、空気吹出口に配置された上下風向板２３と、筐体フレームと上下風向板との間に取り付けられた取付部材２５と、を備えている。筐体フレームは、上下風向板に係合する係合部２１ａを有している。上下風向板は、筐体フレームの係合部に係合する突起部２４ａが設けられた支柱２４を有している。取付部材は、上下風向板の支柱に対して、突起部が設けられている面とは逆側の面に対向する位置にリブ２５ａを有している。【選択図】図６Ｂ
2020046118.tif 000002
【特許請求の範囲】
【請求項１】
内部を通過する冷媒と空気との間で熱交換を行う熱交換器と、
空気を送る送風ファンと、
空気吹出口が設けられた筐体フレームと、
前記空気吹出口に配置された上下風向板と、
前記筐体フレームと前記上下風向板との間に取り付けられた取付部材と、を備え、
前記筐体フレームは、前記上下風向板に係合する係合部を有し、
前記上下風向板は、前記筐体フレームの前記係合部に係合する突起部が設けられた支柱を有し、
前記取付部材は、前記上下風向板の前記支柱に対して、前記突起部が設けられている面とは逆側の面に対向する位置にリブを有する
ことを特徴とする空気調和機の室内機。
【請求項２】
請求項１に記載の空気調和機の室内機において、
前記上下風向板は、前記支柱を３本以上備えており、
前記リブは、少なくとも前記上下風向板の真ん中付近の支柱に対応する位置に設けられている
ことを特徴とする空気調和機の室内機。
【請求項３】
請求項１又は請求項２に記載の空気調和機の室内機において、
前記上下風向板の前記支柱と前記リブとの間の隙間量をｔ１とし、前記係合部と前記突起部との掛かり代をｔ２とする場合に、
前記リブは、前記上下風向板の前記支柱に対して、「ｔ２＞ｔ１＞０」の関係を満たしている
ことを特徴とする空気調和機の室内機。
【請求項４】
請求項３に記載の空気調和機の室内機において、
さらに、前記リブは、前記上下風向板の前記支柱に対して、「ｔ２＞ｔ１×２」の関係を満たしている
ことを特徴とする空気調和機の室内機。
【請求項５】
請求項１乃至請求項４のいずれか一項に記載の空気調和機の室内機において、
前記リブは、前記空気吹出口を通る空気の通風方向に沿って設けられている
ことを特徴とする空気調和機の室内機。
【請求項６】
請求項１乃至請求項５のいずれか一項に記載の空気調和機の室内機において、
前記取付部材は、平坦な傾斜面と平坦な下面とを有しており、かつ、前記傾斜面と前記下面とにより側面視で鋭角なＬ字形状を呈しており、
前記リブは、前記傾斜面に設けられており、かつ、側面視で三角形状を呈している
ことを特徴とする空気調和機の室内機。
【発明の詳細な説明】
【技術分野】
【０００１】
本発明は、空気調和機の室内機に関する。
【背景技術】
【０００２】
空気調和機の室内機は、空気吹出口の左右に設けられた駆動部と空気吹出口の中央付近に設けられた支柱で上下風向板を支える構造のものが多い。その室内機では、風向性能を向上させるために、上下風向板が大型化される傾向にある。そして、室内機では、上下風向板の大型化に伴い、上下風向板の重量が増大するとともに、上下風向板を駆動する駆動部のトルクも増大している。
【０００３】
このような室内機では、上下風向板の重量の増大と駆動部のトルクの増大により、比較的大きな負荷が上下風向板を支える部分（具体的には、空気吹出口の左右に設けられた駆動部付近と空気吹出口の中央付近に設けられた支柱付近）に加わる。そして、仮に意図せぬ負荷が上下風向板に加わった場合に、上下風向板側の筺体との取付部分や筺体側の上下風向板を支える部分（特に、これらの中の左右どちらかの駆動部付近）が破損する可能性がある。また、一般家庭向け用の空気調和機の室内機が想定外の使用環境下に設置された場合や、室内機が意図せぬケミカルアタックに曝された場合等に、上下風向板側の筺体との取付部分や筺体側の上下風向板を支える部分（特に、これらの中の左右どちらかの駆動部付近）が破損する可能性がある。
【０００４】
仮に、室内機は、左右どちらかの駆動部付近が破損した場合に、上下風向板が左右方向に移動して、落下する可能性があった。そこで、空気調和機の室内機の中には、上下風向板の落下を防止する機構を設けたものがあった（特許文献１参照）。特許文献１には、回転力を受ける側のベーン（上下風向板）の軸が折れたときに、もう一方側の軸において、軸先端に取り付けられたストッパー部品が軸受部に引っ掛かる構造になっている空気調和機の室内機が記載されている。
【先行技術文献】
【特許文献】
【０００５】
【特許文献１】特開２０１４−５５７０８号公報
【発明の概要】
【発明が解決しようとする課題】
【０００６】
しかしながら、例えば特許文献１に記載された従来の空気調和機の室内機は、部品点数が増加するとともに、構造が複雑であるため、部品の取り付け作業性及び取り外し作業性が悪かった。このような従来の空気調和機の室内機は、製品の組み立て時や設置場所への設置時に、作業者に負担を強いるとともに、作業時間を長期化させていた。また、増加した部品点数分だけ製造コストを増大させていた。
【０００７】
本発明は、前記した課題を解決するためになされたものであり、簡易な構成で上下風向板の落下等を防止する空気調和機の室内機を提供することを主な目的とする。
【課題を解決するための手段】
【０００８】
前記目的を達成するため、本発明は、空気調和機の室内機であって、内部を通過する冷媒と空気との間で熱交換を行う熱交換器と、空気を送る送風ファンと、空気吹出口が設けられた筐体フレームと、前記空気吹出口に配置された上下風向板と、前記筐体フレームと前記上下風向板との間に取り付けられた取付部材と、を備え、前記筐体フレームは、前記上下風向板に係合する係合部を有し、前記上下風向板は、前記筐体フレームの前記係合部に係合する突起部が設けられた支柱を有し、前記取付部材は、前記上下風向板の前記支柱に対して、前記突起部が設けられている面とは逆側の面に対向する位置にリブを有する構成とする。
その他の手段は、後記する。
【発明の効果】
【０００９】
本発明によれば、簡易な構成で上下風向板の落下等を防止することができる。
【図面の簡単な説明】
【００１０】
【図１】実施形態に係る空気調和機の全体構成の説明図である。
【図２Ａ】室内機の筐体フレームの外観図である。
【図２Ｂ】図２Ａにおける領域Ａ１１の拡大図である。
【図３Ａ】室内機の上下風向板の外観図である。
【図３Ｂ】図３Ａにおける領域Ａ１２の拡大図である。
【図４Ａ】室内機の取付部材の外観図である。
【図４Ｂ】図４Ａにおける領域Ａ１３の拡大図である。
【図５Ａ】筐体フレームに上下風向板を取り付けた状態を示す図である。
【図５Ｂ】図５Ａにおける領域Ａ１４の拡大図である。
【図６Ａ】筐体フレームに取付部材を取り付けた状態を示す図である。
【図６Ｂ】図６Ａにおける領域Ａ１５の拡大図である。
【図７Ａ】上下風向板の支柱と取付部材のリブの全体構成を示す斜視図である。
【図７Ｂ】上下風向板の支柱と取付部材のリブとの位置関係の説明図である。
【図８Ａ】取付部材の斜視図である。
【図８Ｂ】取付部材の側面図である。
【発明を実施するための形態】
【００１１】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１２】
［実施形態］
＜空気調和機の全体構成＞
以下、図１を参照して、本実施形態に係る空気調和機１００の全体構成について説明する。図１は、本実施形態に係る空気調和機１００の全体構成の説明図である。
【００１３】
図１に示すように、本実施形態に係る空気調和機１００は、室外機Ｕｏと室内機Ｕｉとを備え、室外機Ｕｏと室内機Ｕｉとで冷媒回路Ｑを構成している。図１の実線矢印は、暖房運転時における冷媒の流れを示している。また、図１の破線矢印は、冷房運転時における冷媒の流れを示している。
【００１４】
図１に示すように、空気調和機１００は、圧縮機１１と、室外熱交換器１２と、室外ファン１３と、膨張弁１４と、室内熱交換器１５と、室内ファン１６（送風ファン）と、四方弁１７と、を備えている。
【００１５】
圧縮機１１は、圧縮機モータ１１ａの駆動によって、低温低圧のガス冷媒を圧縮し、高温高圧のガス冷媒として吐出する装置である。
室外熱交換器１２は、冷媒が通流する伝熱管（図示せず）を備え、伝熱管を通流する冷媒と室外ファン１３から送り込まれる外気との間で熱交換が行われる熱交換器である。
【００１６】
室外ファン１３は、室外ファンモータ１３ａの駆動によって、室外熱交換器１２に外気を送り込むファンであり、室外熱交換器１２の付近に設置されている。
膨張弁１４は、「凝縮器」（室外熱交換器１２及び室内熱交換器１５の一方）で凝縮した冷媒を減圧する弁である。なお、膨張弁１４において減圧された冷媒は、「蒸発器」（室外熱交換器１２及び室内熱交換器１５の他方）に導かれる。
【００１７】
室内熱交換器１５は、冷媒が通流する伝熱管（図示せず）を備え、伝熱管を通流する冷媒と室内ファン１６（送風ファン）から送り込まれる室内空気（空調対象空間の空気）との間で熱交換が行われる熱交換器である。
室内ファン１６は、室内ファンモータ（図示せず）の駆動によって、室内熱交換器１５に室内空気を送り込むファンであり、室内熱交換器１５の付近に設置されている。より詳しく説明すると、室内ファン１６が正回転している場合の空気の流れにおいて、室内ファン１６は室内熱交換器１５の下流側に設置されている。
【００１８】
四方弁１７は、空気調和機１００の運転モードに応じて、冷媒の流路を切り替える弁である。例えば、冷房運転時（図１の破線矢印を参照）には、圧縮機１１、室外熱交換器１２（凝縮器）、膨張弁１４、及び室内熱交換器１５（蒸発器）が、四方弁１７を介して環状に順次接続されてなる冷媒回路Ｑにおいて、冷凍サイクルで冷媒が循環する。
【００１９】
一方、暖房運転時（図１の実線矢印を参照）には、圧縮機１１、室内熱交換器１５（凝縮器）、膨張弁１４、及び室外熱交換器１２（蒸発器）が、四方弁１７を介して環状に順次接続されてなる冷媒回路Ｑにおいて、冷凍サイクルで冷媒が循環する。
【００２０】
なお、図１に示す例では、圧縮機１１、室外熱交換器１２、室外ファン１３、膨張弁１４、及び四方弁１７が、室外機Ｕｏに設置されている。一方、室内熱交換器１５及び室内ファン１６は、室内機Ｕｉに設置されている。
【００２１】
室内機Ｕｉの筺体には、空気吸込口（図示せず）と空気吹出口ＯＰとが設けられている。室内機Ｕｉは、空気吸込口（図示せず）を介して室内から空気を取り込み、取り込んだ空気を空調して、空気吹出口ＯＰから室内に吹き出す。室内機Ｕｉは、空気吹出口ＯＰに上下風向板２３を備えている。上下風向板２３は、室内ファン１６の回転に伴って室内に吹き出される空気の上下方向の流れを調整する板状部材である。本実施形態では、室内機Ｕｉは、空気吹出口ＯＰの左右に設けられた駆動部３４及び駆動部３５（図６Ａ参照）と空気吹出口ＯＰの中央付近に設けられた支柱２１（図６Ａ参照）で上下風向板２３を支えているものとして説明する。
【００２２】
＜上下風向板の落下防止手段としてのリブ＞
ところで、室内機Ｕｉでは、上下風向板２３の大型化に伴い、比較的大きな負荷が上下風向板２３を支える部分（具体的には、駆動部３４及び駆動部３５（図６Ａ参照）付近と支柱２１（図２Ａ参照）付近）に加わる。そして、仮に意図せぬ負荷が上下風向板２３に加わった場合に、上下風向板２３側の筺体との取付部分や筺体側の上下風向板２３を支える部分（特に、駆動部３４又は駆動部３５（図６Ａ参照）付近）が破損する可能性がある。また、一般家庭向け用の空気調和機１００の室内機Ｕｉが想定外の使用環境下に設置された場合や、室内機Ｕｉが意図せぬケミカルアタックに曝された場合等に、上下風向板２３側の筺体との取付部分や筺体側の上下風向板２３を支える部分（特に、駆動部３４又は駆動部３５（図６Ａ参照）付近）が破損する可能性がある。
【００２３】
仮に、駆動部３４又は駆動部３５（図６Ａ参照）付近が破損した場合に、上下風向板２３は左右方向（室内機Ｕｉの長手方向）に移動しようとする。そして、さらに仮に、上下風向板２３の左右方向の移動を規制する構造が室内機Ｕｉに設けられていなければ、上下風向板２３は落下する可能性がある。
【００２４】
そこで、本実施形態に係る空気調和機１００の室内機Ｕｉは、上下風向板２３の落下防止手段として、化粧枠（外装枠）の下側部分を構成する取付部材２５（図４Ａ参照）にリブ２５ａを備えている。以下、リブ２５ａに関連する構造ついて詳細に説明する。
【００２５】
まず、図２Ａ及び図２Ｂを参照して、上下風向板２３が取り付けられる筐体フレーム２０の構造について説明する。筐体フレーム２０は、室内機Ｕｉの筺体を構成するフレームである。図２Ａは、室内機Ｕｉの筐体フレーム２０の外観図である。図２Ｂは、図２Ａにおける領域Ａ１１の拡大図である。
【００２６】
図２Ａに示すように、筐体フレーム２０は、左右方向に長尺な構成になっている。筐体フレーム２０の下側部分には、室内に向けて空気が吹き出される空気吹出口ＯＰが設けられている。筐体フレーム２０は、空気吹出口ＯＰの内部に、複数の左右風向板２２を備えている。左右風向板２２は、室内に吹き出される空気の左右方向の流れを調整する板状部材である。また、筐体フレーム２０は、空気吹出口ＯＰの左側と右側に上下風向板２３（図３Ａ参照）を駆動するための駆動部３４と駆動部３５を備えている。また、筐体フレーム２０は、空気吹出口ＯＰの中央付近に、上下風向板２３を支えるための支柱２１を備えている。なお、図２Ａに示す例では、支柱２１の数は１つだけであるが、支柱２１の数は２つ以上であってもよい。
【００２７】
図２Ｂに示すように、支柱２１は、板状の形状を呈している。支柱２１は、空気吹出口ＯＰを通る空気の通風方向に沿って（つまり、板状の両面が空気吹出口ＯＰを通る空気の通風方向と平行になるように）配置されている。支柱２１には、係合部２１ａが設けられている。係合部２１ａは、後記する上下風向板２３の支柱２４に設けられた突起部２４ａ（図３Ｂ参照）と係合する円形孔である。
【００２８】
なお、図２Ｂに示す例では、筐体フレーム２０は、支柱２１の近傍に締結部２１ｂを備えている。締結部２１ｂは、ネジ（図示せず）で取付部材２５の締結部２５ｂ（図４Ｂ参照）と締結される部位である。
【００２９】
次に、図３Ａ及び図３Ｂを参照して、上下風向板２３の構造について説明する。図３Ａは、室内機Ｕｉの上下風向板２３の外観図である。図３Ｂは、図３Ａにおける領域Ａ１２の拡大図である。
【００３０】
図３Ａに示すように、上下風向板２３は、左右方向に長尺な板状の形状を呈している。上下風向板２３は、上面の左端部と右端部に支柱１２４と支柱１２５を備え、さらに、上面の中央付近に支柱２４を備えている。支柱１２４は、筐体フレーム２０に設けられた左側の駆動部３４（図２Ａ参照）に取り付けられる板状部位である。また、支柱１２５は、筐体フレーム２０に設けられた右側の駆動部３５（図２Ａ参照）に取り付けられる板状部位である。また、支柱２４は、筐体フレーム２０に設けられた支柱２１（図２Ａ参照）に取り付けられる板状部位である。
【００３１】
図３Ａに示す例では、支柱１２４と支柱１２５と支柱２４は、それぞれ、側面視でほぼ同じサイズの円弧状に形成されている。支柱１２４は、その先端部に左方向に突出する突起部１２４ａを有している。支柱１２５は、その先端部に右方向に突出する突起部１２５ａを有している。支柱２４は、その先端部に左方向に突出する円柱状の突起部２４ａ（図３Ｂ参照）を有している。
【００３２】
突起部１２４ａは、筐体フレーム２０に設けられた駆動部３４（図２Ａ参照）に差し込まれて係合する。また、突起部１２５ａは、筐体フレーム２０に設けられた駆動部３５（図２Ａ参照）に差し込まれて係合する。上下風向板２３は、逆向きの方向に突出するように設けられた突起部１２４ａと突起部１２５ａで筐体フレーム２０に設けられた駆動部３４と駆動部３５に係合することで、その両端部が筐体フレーム２０に取り付けられる。
【００３３】
突起部２４ａは、筐体フレーム２０の中央付近に設けられた支柱２１の係合部２１ａ（図２Ｂ参照）に差し込まれて係合する。上下風向板２３は、突起部２４ａが支柱２１の係合部２１ａ（図２Ｂ参照）に係合することで、その中央付近が筐体フレーム２０に取り付けられる。
【００３４】
次に、図４Ａ及び図４Ｂを参照して、取付部材２５の構造について説明する。取付部材２５は、室内機Ｕｉの化粧枠（外装枠）の下側部分を構成する部材である。図４Ａは、室内機Ｕｉの取付部材２５の外観図である。図４Ｂは、図４Ａにおける領域Ａ１３の拡大図である。
【００３５】
図４Ａに示すように、取付部材２５は、左右方向に長尺な板状の形状を呈している。取付部材２５は、上面の中央付近にリブ２５ａを備えている。リブ２５ａは、上下風向板２３の左右方向の移動を規制する部位である。図４Ｂに示すように、本実施形態では、リブ２５ａは、三角形の形状を呈している。リブ２５ａは、上下風向板２３の支柱２４に対して、突起部２４ａが設けられている面とは逆側の面に対向する位置に設けられている（図６Ｂ参照）。上下風向板２３の支柱２４や、その支柱２４に設けられた突起部２４ａ、リブ２５ａは、上下風向板２３が閉じたときに外部から見えない位置に設けられている。
【００３６】
なお、図４Ｂに示す例では、取付部材２５は、筐体フレーム２０の締結部２１ｂに重なる場所に締結部２５ｂを備えている。締結部２５ｂは、ネジ（図示せず）で筐体フレーム２０の締結部２１ｂ（図２Ｂ参照）と締結される部位である。
【００３７】
図５Ａ及び図５Ｂに示すように、上下風向板２３は、筐体フレーム２０に取り付けられる。図５Ａは、筐体フレーム２０に上下風向板２３を取り付けた状態を示す図である。図５Ｂは、図５Ａにおける領域Ａ１４の拡大図である。
【００３８】
このとき、上下風向板２３の支柱１２４の突起部１２４ａが筐体フレーム２０に設けられた左側の駆動部３４に係合する。また、上下風向板２３の支柱２４の突起部２４ａが筐体フレーム２０の支柱２１の係合部２１ａに係合する。上下風向板２３の支柱１２５の突起部１２５ａが筐体フレーム２０に設けられた右側の駆動部３５に係合する。なお、筐体フレーム２０と上下風向板２３との間には、隙間４５が開いている。
【００３９】
図６Ａ及び図６Ｂに示すように、その隙間４５（図５Ａ参照）を塞ぐように、取付部材２５が筐体フレーム２０と上下風向板２３との間に取り付けられる。図６Ａは、筐体フレーム２０に取付部材２５を取り付けた状態を示す図である。図６Ｂは、図６Ａにおける領域Ａ１５の拡大図である。
【００４０】
このとき、図６Ｂに示すように、取付部材２５のリブ２５ａは、上下風向板２３の支柱２４に対して、突起部２４ａが設けられている面とは逆側の面に対向する位置に配置される。取付部材２５は、締結部２５ｂがネジ（図示せず）で筐体フレーム２０の締結部２１ｂ（図２Ｂ参照）と締結される。これにより、取付部材２５は、筐体フレーム２０に固定される。この後、封止部材２６が締結部２５ｂに取り付けられる。封止部材２６は、締結部２５ｂを閉鎖する部材である。
【００４１】
＜上下風向板の支柱と取付部材のリブとの位置関係＞
以下、図７Ａ及び図７Ｂを参照して、上下風向板２３の支柱２４と取付部材２５のリブ２５ａとの位置関係について説明する。図７Ａは、上下風向板２３の支柱２４と取付部材２５のリブ２５ａの全体構成を示す斜視図である。図７Ｂは、上下風向板２３の支柱２４と取付部材２５のリブ２５ａとの位置関係の説明図である。図７Ｂは、図７Ａに示す上下風向板２３の支柱２４と取付部材２５のリブ２５ａをＸ１−Ｘ１線に沿って切断して得られる切り口すなわち断面を、側面方向（矢印方向）から見たレイアウトを示している。
【００４２】
図７Ａ及び図７Ｂに示すように、上下風向板２３の支柱２４の突起部２４ａは、筐体フレーム２０の支柱２１の係合部２１ａに差し込まれる。
【００４３】
図７Ｂに示すように、リブ２５ａは、好ましくは、上下風向板２３の支柱２４に対して、「ｔ２＞ｔ１＞０」の関係を満たしているとよい。ここで、「ｔ１」は、上下風向板２３の支柱２４とリブ２５ａとの間の隙間量を表している。また、「ｔ２」は、筐体フレーム２０の支柱２１の係合部２１ａと上下風向板２３の支柱２４の突起部２４ａとの掛かり代（係合部２１ａに対する突起部２４ａの差し込み量）を表している。このような室内機Ｕｉは、リブ２５ａで上下風向板２３の左右方向の移動を確実に規制して、上下風向板２３の落下を防止することができる。
【００４４】
また、リブ２５ａは、さらに好ましくは、上下風向板２３の支柱２４に対して、「ｔ２＞ｔ１×２」の関係を満たしているとよい。このような室内機Ｕｉは、上下風向板２３の支柱２４の突起部２４ａを筐体フレーム２０の支柱２１の係合部２１ａから抜け難くすることができる。そのため、室内機Ｕｉは、さらに効率よく上下風向板２３の落下を防止することができる。
【００４５】
なお、図８Ａ及び図８Ｂに示すように、取付部材２５は、好ましくは、平坦な傾斜面と平坦な下面とを有しており、かつ、傾斜面と下面とにより側面視で鋭角なＬ字形状を呈しているとよい。そして、リブ２５ａは、好ましくは、側面視で三角形状を呈しているとよい。図８Ａは、取付部材２５の斜視図である。図８Ｂは、取付部材２５の側面図である。
【００４６】
このような取付部材２５は、取付部材２５の下面とリブ２５ａの上面とを略平行な位置関係に配置することができる。これにより、リブ２５ａが取付部材２５の上端部から上に突出しないようにすることができる。このような取付部材２５は、射出成型で製作する際に、型からの抜き取りを容易に行うことができる。そのため、製作が容易である。
【００４７】
＜空気調和機の室内機の主な特徴＞
（１）図６Ａに示すように、本実施形態に係る空気調和機１００の室内機Ｕｉは、筐体フレーム２０と、上下風向板２３と、取付部材２５と、を備えている。図６Ｂに示すように、筐体フレーム２０は、上下風向板２３に係合する係合部２１ａを有している。上下風向板２３は、筐体フレーム２０の係合部２１ａに係合する突起部２４ａが設けられた支柱２４を有している。取付部材２５は、上下風向板２３の支柱２４に対して、突起部２４ａが設けられている面とは逆側の面に対向する位置にリブ２５ａを有している。
【００４８】
このような本実施形態に係る空気調和機１００の室内機Ｕｉは、仮に駆動部３４又は駆動部３５（図６Ａ参照）付近が破損した場合であっても、化粧枠（外装枠）の下側部分を構成する取付部材２５のリブ２５ａが上下風向板２３の支柱２４に当接する。これにより、室内機Ｕｉは、上下風向板２３の左右方向の移動を規制することができる。そのため、室内機Ｕｉは、簡易な構成で上下風向板２３の落下等を防止することができる。
【００４９】
なお、リブ２５ａが設けられていない構成において、駆動部３４又は駆動部３５付近が破損した場合に、上下風向板２３が左右方向に移動する原理は、以下の通りである。例えば、図６Ａに示すように、上下風向板２３は、右側の支柱１２４の突起部１２４ａと中央付近の支柱２４の突起部２４ａと左側の支柱１２５の突起部１２５ａで筐体フレーム２０に係合している。右側の突起部１２４ａと中央付近の突起部２４ａは同じ方向に突出しているが、左側の突起部１２５ａは逆方向に突出している。筐体フレーム２０は、突起部１２４ａの周囲の部位や突起部２４ａの周囲の部位で、上下風向板２３が右方向に移動することを規制している。また、筐体フレーム２０は、突起部１２５ａの周囲の部位で、上下風向板２３が左方向に移動することを規制している。ここで、仮に左側の突起部１２５ａの周囲の部位（つまり、駆動部３５付近）が破損したとする。この場合に、筐体フレーム２０は、上下風向板２３の左方向への移動を規制することができなくなる。そのため、上下風向板２３は、左方向に移動しようとする。リブ２５ａが設けられていない構成において、上下風向板２３が左右方向に移動する原理は、以上の通りである。
【００５０】
（２）図６Ａに示すように、上下風向板２３は、３本以上の支柱（図６Ａに示す例では、３本の支柱１２４と支柱２４と支柱１２５）を備えているとよい。そして、リブ２５ａは、少なくとも上下風向板２３の真ん中付近の支柱（図６Ａに示す例では、支柱２４）に対応する位置に設けられているとよい。
【００５１】
上下風向板２３の端部に設けられた支柱１２４と支柱１２５は、駆動部３４又は駆動部３５に近いため、比較的大きな負荷が加わる。一方、上下風向板２３の真ん中付近の支柱２４は、駆動部３４と駆動部３５から離れているため、支柱１２４と支柱１２５よりも小さな負荷しか加わらない。そのため、支柱２４は、他の支柱１２４と支柱１２５よりも破損し難い。本実施形態に係る空気調和機１００の室内機Ｕｉは、破損し難い真ん中付近の支柱２４にリブ２５ａが対応しているため、上下風向板２３の移動を効率よく規制することができる。
【００５２】
（３）図７Ｂに示すように、リブ２５ａは、好ましくは、上下風向板２３の支柱２４に対して、「ｔ２＞ｔ１＞０」の関係を満たしているとよい。また、リブ２５ａは、さらに好ましくは、上下風向板２３の支柱２４に対して、「ｔ２＞ｔ１×２」の関係を満たしているとよい。
【００５３】
このような本実施形態に係る空気調和機１００の室内機Ｕｉは、リブ２５ａで上下風向板２３の左右方向の移動を確実に規制して、上下風向板２３の落下等を防止することができる。
【００５４】
（４）図６Ａに示すように、リブ２５ａは、好ましくは、空気吹出口ＯＰを通る空気の通風方向に沿って設けられているとよい。
【００５５】
このような本実施形態に係る空気調和機１００の室内機Ｕｉは、リブ２５ａで空気の流動を妨げることがないため、風向性能を維持することができる。
【００５６】
以上の通り、本実施形態に係る空気調和機１００の室内機Ｕｉによれば、簡易な構成で上下風向板の落下等を防止することができる。
【００５７】
なお、本発明は、前記した実施形態に限定されるものではなく、本発明の要旨を逸脱しない範囲で種々の変更や変形を行うことができる。
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００５８】
また、例えば、前記した実施形態では、リブ２５ａは、上下風向板２３の支柱２４に対応するように、取付部材２５の上面の中央付近に設けられている。しかしながら、リブ２５ａは、上下風向板２３の支柱１２４や支柱１２５にも対応するように、取付部材２５の上面の中央付近に加え、左端部付近や右端部付近にも設けるようにしてもよい。
【符号の説明】
【００５９】
１１    圧縮機
１１ａ    圧縮機モータ
１２    室外熱交換器
１３    室外ファン
１３ａ    室外ファンモータ
１４    膨張弁
１５    室内熱交換器（熱交換器）
１５ａ    前側室内熱交換器
１５ｂ    後側室内熱交換器
１６    室内ファン（送風ファン）
１７    四方弁
１８    露受皿
２０    筐体フレーム
２１，２４，１２４，１２５    支柱
２１ａ    係合部
２１ｂ，２５ｂ    締結部
２２    左右風向板
２３    上下風向板
２４ａ，１２４ａ，１２５ａ    突起部
２５    取付部材
２５ａ    リブ
２６    封止部材
３４，３５    駆動部
４５    隙間
１００    空気調和機
ＯＰ    空気吹出口
Ｑ    冷媒回路
Ｕｉ    室内機（空気調和機の室内機）
Ｕｏ    室外機
【図１】
2020046118.tif 000003
【図２Ａ】
2020046118.tif 000004
【図２Ｂ】
2020046118.tif 000005
【図３Ａ】
2020046118.tif 000006
【図３Ｂ】
2020046118.tif 000007
【図４Ａ】
2020046118.tif 000008
【図４Ｂ】
2020046118.tif 000009
【図５Ａ】
2020046118.tif 000010
【図５Ｂ】
2020046118.tif 000011
【図６Ａ】
2020046118.tif 000012
【図６Ｂ】
2020046118.tif 000013
【図７Ａ】
2020046118.tif 000014
【図７Ｂ】
2020046118.tif 000015
【図８Ａ】
2020046118.tif 000016
【図８Ｂ】
2020046118.tif 000017